(57)【要約】      （修正有）【課題】簡単な構造を利用して体積を縮小し、製造コストを削減できる化粧料繰出装置及びその化粧料カートリッジを提供する。【解決手段】化粧料繰出装置及びその化粧料カートリッジ１０であって、化粧料繰出装置は複数の化粧料カートリッジを備え、各化粧料カートリッジには筐体１１とポンプ１４と第１の通路１５と第２の通路１６と貯蔵箱１７と第３の通路１８とを含む。ポンプは、筐体内に固設され、第１の通路がポンプに連結され、外気が第１の通路を経由してポンプに入る。第２の通路もポンプに連結され、ポンプから出力された空気が第２の通路を経由して筐体外部に送られる出口側を備える。第３の通路は第１側と第２側とを備え、第１側が貯蔵箱と互いに連通し、第２側が第１の通路、第２の通路、及びポンプのいずれかと互いに連通する。【選択図】図１
0003186384.tif 000002
【実用新案登録請求の範囲】
【請求項１】
筐体と
前記筐体内に設けられるポンプと、
前記ポンプに連結され、外気が第１の通路を経由して前記ポンプに入る第１の通路と
前記ポンプに連結され、前記ポンプから出力された空気を流通させるための出口側を備え、前記空気が前記出口側を経由して前記筐体外部に送られる第２の通路と、
貯蔵箱と、
第１側と第２側とを備え、前記第１側が前記貯蔵箱と互いに連通し、前記第２側が前記第１の通路、前記第２の通路、及び、前記ポンプのいずれかと互いに連通する第３の通路と、を含むことを特徴とする、
化粧料カートリッジ。
【請求項２】
前記第３の通路内に設けられるバルブを更に含むことを特徴とする請求項１に記載の化粧料カートリッジ。
【請求項３】
前記貯蔵箱は、前記筐体内に設けられることを特徴とする請求項１に記載の化粧料カートリッジ。
【請求項４】
前記貯蔵箱は、着脱可能式貯蔵箱であることを特徴とする請求項１に記載の化粧料カートリッジ。
【請求項５】
前記出口側に調整式ノズルが設けられることを特徴とする請求項１に記載の化粧料カートリッジ。
【請求項６】
前記ポンプは、マイクロポンプであることを特徴とする請求項１に記載の化粧料カートリッジ。
【請求項７】
複数の化粧料カートリッジを備える化粧料繰出装置であって、各前記化粧料カートリッジには、
筐体と
前記筐体内に設けられるポンプと、
前記ポンプに連結され、外気が第１の通路を経由して前記ポンプに入る第１の通路と
前記ポンプに連結され、前記ポンプから出力された空気を流通させるための出口側を備え、前記空気が前記出口側を経由して前記筐体外部に送られる第２の通路と、
貯蔵箱と、
第１側と第２側とを備え、前記第１側が前記貯蔵箱と互いに連通し、前記第２側が前記第１の通路、前記第２の通路、及び、前記ポンプのいずれかと互いに連通する第３の通路と、を含み
前記複数の化粧料カートリッジが隣り合って設けられ、前記第２の通路の前記出口側が同一方向に位置されることを特徴とする、
化粧料繰出装置。
【請求項８】
前記複数の化粧料カートリッジは、平行して隣り合うように設けることを特徴とする請求項７に記載の化粧料繰出装置。
【請求項９】
各前記化粧料カートリッジの前記第２の通路の前記出口側に調整式ノズルが設けられ、前記複数の化粧料カートリッジの前記調整式ノズルを同一ターゲットに向かって設置するよう調整することを特徴とする請求項７に記載の化粧料繰出装置。
【請求項１０】
前記出口側を同一ターゲットに向けさせるため、前記複数の化粧料カートリッジは、特定の角度で隣り合うように設けることを特徴とする請求項７に記載の化粧料繰出装置。
【請求項１１】
各前記化粧料カートリッジは、前記第３の通路内に設けられるバルブを更に含むことを特徴とする請求項７に記載の化粧料繰出装置。
【請求項１２】
前記貯蔵箱は、着脱可能式貯蔵箱であることを特徴とする請求項７に記載の化粧料繰出装置。
【請求項１３】
前記ポンプは、マイクロポンプであることを特徴とする請求項７に記載の化粧料繰出装置。
【考案の詳細な説明】
【技術分野】
【０００１】
本考案は、化粧料繰出装置及びその化粧料カートリッジに関する。
【背景技術】
【０００２】
美しくなりたいと思うことは自然なことであるため、市場において各メーカは多種多様なメイクアップ化粧品を消費者の購入のため提供している。
しかしながら、自分で気に入り且つ自分に似合う化粧或いはアイシャドウをメイクアップしたい場合、異なる眉の形、各種目の輪郭、アイシャドウ及びアイライン等を描くため、繰り返しメイクアップテクニックを練習する必要があり、且つ各種メイクアップ化粧品及び化粧道具を購入しなければならない。
ただし、メイクアップテクニックの熟練度の違い及びメイクアップ化粧品の種類の多さに伴い、往々にしてメイクアップした効果と消費者が望んでいる効果とは、一定の差が生じていた。
【０００３】
情報テクノロジーの絶え間ない進化に伴い、顔部のメイクアップ化粧品又は基礎化粧品の化粧シミュレーションサービス装置がすでに開発され、購買前にスクリーンにおいて利用者の化粧後の効果をシミュレーションして実際のメイクアップ化粧品の試用として代替している。
しかしながら、消費者はシミュレーションした化粧顔を自ら再現するよう化粧したとしても、自分が望んだ効果を実現することが困難であった。現在業者はこの問題点について積極的に自動化粧装置の開発に取り組んでいる。自動化粧装置を通じてシミュレーションして望んだ化粧結果がシミュレーション通りで、かつ繰り返し消費者の顔に化粧を施すことができるよう期待されている。
希望の化粧結果を確実に利用者の顔に施すには、化粧料の繰出量及び化粧料の繰出方向を正確に制御できる装置が必要である。しかし、現有の装置の体積は巨大で、機構が比較的複雑でもあり、かつ製造コストが高いため、小型化が難しかった。
【考案の概要】
【考案が解決しようとする課題】
【０００４】
そこで、本考案は上記従来技術の問題点に鑑みて、簡単な構造を利用して体積を縮小し、製造コストを削減できる化粧料繰出装置及びその化粧料カートリッを提供することを目的とする。
【課題を解決するための手段】
【０００５】
化粧料カートリッジであって、筐体とポンプと第１の通路と第２の通路と貯蔵箱と第３の通路とを含む。ポンプは、筐体に設けられ、ポンプをエアーポンプ、液体用ポンプ或いはこれと同じ効果を持つ他の装置とすることができるが本考案はこれに限らない。
第１の通路はポンプに連結され、外気が第１の通路を経由してポンプに入る。また第２の通路もポンプに連結され、ポンプから出力された空気を流通させるための出口側を備え、空気が第２の通路の出口側を経由して筐体外部に送られる。
【０００６】
第３の通路は第１側と第２側とを備え、第１側が貯蔵箱と互いに連通し、第２側が第１の通路、第２の通路、及びポンプのいずれかと互いに連通できる。
【０００７】
上記構造を通じて、本実施例の化粧料カートリッジは、ポンプの作動を制御することで、ポンプによる化粧料カートリッジ内の空気流動の速度を制御させることができる。これを介して噴出方向のターゲット位置或いは対象物のメイクアップ化粧料量を制御する。また、化粧料カートリッジの構造は簡単で、体積の縮小も容易で、製造コストも削減できる。
【０００８】
本考案の別の概念に基づくと、上記化粧料カートリッジは、第３の通路に設けられ、第１の通路、第２の通路、或いはポンプに入るメイクアップ化粧料量を制御させるためのバルブを含むことができる。
【０００９】
本考案の別の概念に基づくと、上記化粧料カートリッジの貯蔵箱を筐体に設置できる。その他、貯蔵箱は着脱可能式貯蔵箱とすることもできる。
【００１０】
本考案の別の概念に基づくと、上記第２の通路の出口側に調整式ノズルを設置できる。またポンプは電気エネルギーを運動エネルギーに変換する空気入れ装置とすることができ、例えばマイクロポンプで、回転或いはピストン方式により空気を入れる、若しくは形状記憶合金で形状が変形して空気を入れる装置とする。
【００１１】
化粧料繰出装置であって、複数の化粧料カートリッジを備え、各化粧料カートリッジには筐体とポンプと第１の通路と第２の通路と貯蔵箱と第３の通路とを含む。ポンプは、筐体内に設けられ、第１の通路がポンプに連結され、外気が第１の通路を経由してポンプに入る。また第２の通路もポンプに連結され、ポンプから出力された空気を流通させるための出口側を備え、空気が出口側を経由して筐体外部に送られる。
【００１２】
第３の通路は第１側と第２側とを備え、第１側が貯蔵箱と互いに連通し、第２側が第１の通路、第２の通路、及びポンプのいずれかと互いに連通できる。複数の化粧料カートリッジが隣り合って設けられ、第２の通路の出口側が同一方向に位置される。
【００１３】
本考案の別の概念に基づくと、上記複数の化粧料カートリッジは平行して隣り合うように設けることができる。各化粧料カートリッジの第２の通路の出口側に調整式ノズルを設置できることで、調整式ノズルを同一ターゲットに向かって設置するよう調整する。第２の通路の出口側を同一ターゲットに向けさせるため、複数の化粧料カートリッジも特定の角度で隣り合うように設けることができる。
【００１４】
本考案の別の概念に基づくと、上記各化粧料カートリッジは、第３の通路に設けられ、第１の通路、第２の通路、或いはポンプに入るメイクアップ化粧料量を制御させるためのバルブを含むことができる。
【図面の簡単な説明】
【００１５】
【図１】本考案に係る第１の実施例の化粧料カートリッジを示す図である。
【図２】本考案に係る第２の実施例の化粧料カートリッジを示す図である。
【図３】本考案に係る第３の実施例の化粧料カートリッジを示す図である。
【図４】本考案に係る第４の実施例の化粧料カートリッジを示す図である。
【図５】本考案に係る第５の実施例の化粧料繰出装置立体図である。
【図６】本考案に係る第６の実施例の化粧料繰出装置立体図である。
【図７】本考案に係る第７の実施例の化粧料繰出装置立体図である。
【考案を実施するための形態】
【００１６】
（第１の実施例）
本考案に係る第１の実施例の化粧料カートリッジを示す図１を参照しながら説明する。本実施例において、化粧料カートリッジ１０は、筐体１１とエアーポンプ１４と第１の通路１５と第２の通路１６と貯蔵箱１７、と第３の通路１８とを含む。
【００１７】
エアーポンプ１４が筐体１１に設けられる。本実施例内において、エアーポンプ１４はモータ１４１とピストン装置１４２を備えるマイクロポンプとする。エアーポンプ１４がモータ１４１によりピストン装置１４２を駆動させることで空気を入れる。またモータ１４１の回転数の制御を通じてエアーポンプ１４の作動速度を制御できる。
若干の実施例においてエアーポンプ１４は、ファン式エアーポンプ、或いは形状記憶合金の変形を利用して作動する装置とすることができる。エアーポンプも液体用ポンプ又は同じ効果を持つ装置等の電気エネルギーを運動エネルギーに変換できる空気入れ装置とすることができる。いずれもメイクアップ化粧料を所望範囲まで噴出できる推力を提供するポンプとすることができるが、本考案はこれに限らない。
【００１８】
第１の通路１５がエアーポンプ１４に接続されることで、外気が第１の通路１５を経由してエアーポンプ１４内に導入できる。第２の通路１６もエアーポンプ１４に接続され、また出口側１６１を備える。エアーポンプ１４から噴出するエアーは第２の通路１６の出口側１６１を経由して筐体１１の外部に導くことができる。
【００１９】
貯蔵箱１７が筐体１１に設けられ、本実施例内において、貯蔵箱１７と筐体１１が一体成形構造となる。貯蔵箱１７内部に必要な色又は種類のメイクアップ化粧料を予め貯蔵する。メイクアップ化粧料は粉末状、泡状、クリーム状、或いはリキッド状のいずれかの一種或いはその組み合せで、例えばミネラルパウダー、リキッドアイライナー、口紅、チーク、眉墨、ＢＢクリーム等の各タイプの化粧料とすることができる。
【００２０】
第３の通路は、第１側１８１と第２側１８２を備える。第１側１８１が貯蔵箱１７と互いに連通し、第２側１８２が第２の通路１６まで連通する。貯蔵箱１７内のメイクアップ化粧料と第２の通路１６内のエアーが第２の通路１６内で混合されてから出口側１６１に向かって導かれ、出口側１６１を経由してメイクアップ化粧料をターゲット位置或いは対象物に噴射する。
【００２１】
これを介して、化粧料カートリッジ１０は、エアーポンプ１４の作動を制御することで、エアーポンプ１４が化粧料カートリッジ１０内の空気流動の速度を制御し、さらに出口側１６１に噴出するメイクアップ化粧料量も制御できる。この他に、構造が簡単で、化粧料カートリッジ１０の体積も縮小しやすく、製造コストも削減することができる。
【００２２】
（第２の実施例）
図２は、本考案に係る第２の実施例の化粧料カートリッジを示す図である。本実施例の第１の実施例と同じ箇所は、記述を省略する。次に図２を参照しながら説明する。
本実施例において、化粧料カートリッジ１０は、バルブ１９を更に含み、且つこのバルブ１９が第３の通路１８上に設けられる。バルブ１９は、第２の通路１６に入るメイクアップ化粧料量を制御するために用いられる。こうすることで、化粧料カートリッジ１０は二重制御メカニズムを有する。つまりエアーポンプ１４による気流流量の制御及びバルブ１９による第２の通路１６に入るメイクアップ化粧料量の制御である。
よって、化粧料カートリッジ１０は二重制御メカニズムを通じて第２の通路１６の出口側１６１に噴出するメイクアップ化粧料量を制御できる。
【００２３】
（第３の実施例）
図３は、本考案に係る第３の実施例の化粧料カートリッジを示す図である。図３を参照しながら説明する。化粧料カートリッジ１０は、筐体１１とエアーポンプ１４と第１の通路１５と第２の通路１６と貯蔵箱と第３の通路１８とを含む。本実施例の第１の実施例と同じ箇所は、記述を省略する。
本実施例において、貯蔵箱は着脱可能式貯蔵箱２７とし、且つカセット式で筐体１１内で挿抜できる。カセット式挿抜構造は、図３に示す構造の通り、筐体１１は弾性素子とストッパー１１４とを含む。本実施例において、弾性素子はスプリング１１３とする。その他の実施例において、弾性素子もスプリングプレート及びこれに相当する構造とすることができるものとするが、本考案はこれに限らない。利用者は着脱可能式貯蔵箱２７を筐体１１内に押し込んでからストッパー１１４を着脱可能式貯蔵箱２７の上方に回すと、着脱可能式貯蔵箱２７を固定できる。着脱可能式貯蔵箱２７を取り外そうとする時、まずストッパー１１４を回し、この時スプリング１１３の弾性力で着脱可能式貯蔵箱２７を筐体１１からせり出させることができる。この時、利用者は着脱可能式貯蔵箱２７を取り出して交換できる。上記カセット式插抜構造は、一つの実施例にすぎず、本考案はこれに限らない。
着脱可能式貯蔵箱２７内部において必要な色或いは種類のメイクアップ化粧料を予め貯蔵し、利用者がメイクアップ化粧料を使い切った際、又は異なるメイクアップ化粧料に交換しようとする時、着脱可能式貯蔵箱２７を交換するだけでよく、化粧料カートリッジ１０全体を交換する必要がないため、使用におけるコストを省くことができる。
【００２４】
この他に、第１の実施例と異なるのは、本実施例において、第３の通路１８の第２側１８２が第１の通路１５まで連通する点である。この場合、第１の通路１５を経由して導入された空気が、第３の通路１８を経由して入ってきたメイクアップ化粧料と第１の通路１５内で相互に混合される。次にエアーポンプ１４内に入り、エアーポンプ１４と互いに連通する第２の通路１６を経由して出口側１６１に向かって導かれると共に筐体１１の外部へ送られる。
【００２５】
（第４の実施例）
図４は、本考案に係る第４の実施例の化粧料カートリッジを示す図である。次に図４を参照しながら説明する。化粧料カートリッジ１０は、筐体１１とエアーポンプ１４と第１の通路１５と第２の通路１６と貯蔵箱と第３の通路１８とを含む。本実施例の第１の実施例と同じ箇所は記述を省略する。
本実施例において、貯蔵箱も着脱可能式貯蔵箱３７とすることができるが、その構造は、第３の実施例の貯蔵箱２７とは異なる。本実施例において、着脱可能式貯蔵箱３７の箱体には、係止ほぞ３７１が含まれる。筐体１１上の係止ほぞ３７１に対応する箇所に係止溝１１５が設けられる。係止ほぞ３７１及び係止溝１１５の形状は、対応して組み立てることができるものでもよい。図４内の蟻ほぞ形状は、例として示しただけであって、本考案はこれに限らない。
組み立てる時、着脱可能式貯蔵箱３７の係止ほぞ３７１を筐体１１上の係止溝１１５内に貫設することで、固装を終える。貯蔵箱も係止溝構造を備えなくてもよく、直接ネジ等のロック部材で貯蔵箱を筐体１１に締め付けることができるものとするが、本考案はこれに限らない。着脱可能式貯蔵箱３７内部に同じように必要な色或いは種類のメイクアップ化粧料を予め貯蔵し、利用者がメイクアップ化粧料を使い切った際、又は異なるメイクアップ化粧料に交換しようとする時、着脱可能式貯蔵箱３７を交換するだけでよく、化粧料カートリッジ１０全体を交換する必要がないため、使用におけるコストを省くことができる。
【００２６】
その他の実施例において、図４に示すように第２の通路１６の出口側１６１に調整式ノズル１２を設置できる。利用者は、使用の必要性に応じて、調整式ノズル１２を色塗りのターゲットに合わせて回すことができる。また、本実施例において、第３の通路１８の第２側１８２がエアーポンプ１４まで連通する。メイクアップ化粧料と空気がエアーポンプ１４内で混合されてから第２の通路１６を経由して調整式ノズル１２に向かって導くことができる。
【００２７】
（第５の実施例）
図５は、本考案に係る第５の実施例の化粧料繰出装置の立体図である。図５を参照しながら説明する。化粧料繰出装置２０は、複数の化粧料カートリッジからなることができる。以下では３個の化粧料カートリッジを例とするが、本考案は、この数量に限るものではない。
これら化粧料カートリッジは第１の実施例内で記述した化粧料カートリッジ、第２の実施例内に記述した化粧料カートリッジ、第３の実施例内で記述した化粧料カートリッジ、第４の実施例内で記述した化粧料カートリッジ或いはそのいずれかの組み合せとすることができる。
本実施例において示すのが第１の実施例内で記述した化粧料カートリッジで、その詳細構造に関しては、ここでは記述を省略する。図５に示すように、３個の化粧料カートリッジ１０は、隣り合って平行に設けられ、且つ各化粧料カートリッジ１０の出口側１６１がいずれも同一方向に向く。
【００２８】
（第６の実施例）
図６は、本考案に係る第６の実施例の化粧料繰出装置立体図である。次に図６を参照しながら説明する。化粧料繰出装置２０も３個の化粧料カートリッジからなる。これら化粧料カートリッジは第１の実施例内で記述した化粧料カートリッジ、第２の実施例内に記述した化粧料カートリッジ、第３の実施例内で記述した化粧料カートリッジ、第４の実施例内で記述した化粧料カートリッジ或いはそのいずれかの組み合せとすることができる。本実施例において示すのは第１の実施例内で記述した化粧料カートリッジで、その詳細構造に関しては、ここで記述を省略する。本実施例において、３個の化粧料カートリッジ１０は特定の角度で隣り合うように設けられる。こうすることで、図６に示すように、３個の化粧料カートリッジ１０の出口側１６１を同じターゲットに向かわせる。
【００２９】
（第７の実施例）
図７は、本考案に係る第７の実施例の化粧料繰出装置立体図である。更に図７を参照しながら説明する。本実施例において、化粧料繰出装置２０は、同じよに３個の化粧料カートリッジからなる。これら化粧料カートリッジは第１の実施例内で記述した化粧料カートリッジ、第２の実施例内に記述した化粧料カートリッジ、第３の実施例内で記述した化粧料カートリッジ、第４の実施例内で記述した化粧料カートリッジ或いはそのいずれかの組み合せとすることができる。
本実施例において示すのは第４の実施例内で記述した化粧料カートリッジで、その詳細構造に関しては、ここでは記述を省略する。本実施例の３個の化粧料カートリッジは、第５の実施例の３個の化粧料カートリッジ１０と同じように隣り合って平行に設けられる。利用者は、使用の必要性に応じて調整式ノズル１２を調整して、調整式ノズル１２をいずれも同一方向に向かわせる、若しくは調整式ノズル１２を同じターゲットに合わせて回すことができる。
【００３０】
上述の説明は、単に本考案の最良の実施例を挙げたまでであり、本考案を限定しない。その他本考案の開示する要旨を逸脱することなく完成された同等効果の修飾または置換はいずれも後述の実用新案登録請求の範囲に含まれる。
【符号の説明】
【００３１】
１０    化粧料カートリッジ
１１    筐体
１１３  スプリング
１１４  ストッパー
１１５  係止溝
１２    調整式ノズル
１４    エアーポンプ
１４１  モータ
１４２  ピストン装置
１５    第１の通路
１６    第２の通路
１６１  出口側
１７    貯蔵箱
１８    第３の通路
１８１  第１側
１８２  第２側
１９    バルブ
２０    化粧料繰出装置
２７    着脱可能式貯蔵箱
３７    着脱可能式貯蔵箱
３７１  係止ほぞ
【図１】
0003186384.tif 000003
【図２】
0003186384.tif 000004
【図３】
0003186384.tif 000005
【図４】
0003186384.tif 000006
【図５】
0003186384.tif 000007
【図６】
0003186384.tif 000008
【図７】
0003186384.tif 000009